(57)【要約】【課題】本発明の目的は、ステレオ音声再生の際に、立体音響によるリアル感、臨場感を出すことができる情報端末装置を提供することである。【解決手段】上記目的を達成するために、音声出力手段８ａ，８ｂは、その外形が長方形、楕円形、トラック形のいずれかからなるスピーカであって、映像表示部６の中心線６ａを境に線対称の関係に配置し、その外形の長辺または長径側は映像表示部６のそれぞれの長辺に近接したものである。これにより、ステレオ音声再生の際に立体音響によるリアル感、臨場感を出すことができる情報端末装置１を提供することである。すなわち、音声出力手段８ａ，８ｂが映像表示部６の縦方向の中心線６ａを境に線対称に配置されているため、映像表示部の映像と音声出力手段の上下方向の音像とが一致する。この結果として、立体音響によるリアル感、臨場感を出すことができる。【選択図】図１
2005244272.tif 000002
【特許請求の範囲】
【請求項１】
少なくとも本体ケースと、この本体ケースの前面に設けた長方形状の映像表示部と、この映像表示部と同一面に設けた音声出力手段とを備え、前記音声出力手段は、その外形が長方形、楕円形、トラック形のいずれかからなるスピーカであって、前記映像表示部の中心線を境に線対称の関係に配置し、その外形の長辺または長径は前記映像表示部の対向する長辺または短辺のそれぞれに近接した情報端末装置。
【請求項２】
映像表示部に対する音声出力手段の配置角度は、前記映像表示部の前面と音声出力手段の前面とが同一面に配置されている場合を０度とし、前記映像表示部の前面と音声出力手段の前面とが垂直に配置されている場合を９０度としたとき、前記映像表示部の裏面に向かって０度から９０度の範囲に設定した請求項１に記載の情報端末装置。
【請求項３】
音声出力手段の外形の長辺または長径と短辺または短径との比は２．５以上である請求項１または請求項２のいずれかに記載の情報端末装置。
【請求項４】
ステレオ再生可能な携帯電話である請求項１から請求項３のいずれかに記載の情報端末装置。
【請求項５】
少なくとも本体ケースと、この本体ケースの前面に設けた略長方形状の映像表示部と、この映像表示部の上部および下部に設けた音声出力手段とを備え、前記音声出力手段はその外形が長方形、楕円形、トラック形のいずれかからなるスピーカであって、前記映像表示部の中心線を境に線対称の関係に配置し、その外形の長辺または長径は前記映像表示部の対向する短辺のそれぞれに近接し、本体ケースは映像表示部と音声出力手段とを有する上ケースと、この上ケースと連結部を介して折り畳み可能に結合した下ケースとを備え、前記上ケースは、前記映像表示部を縦長から横長にして使用できるように前記下ケースに対して回転可能にする回転手段を有する情報端末装置。
【請求項６】
映像表示部に対する音声出力手段の配置角度は、前記映像表示部の前面と音声出力手段の前面とが同一面に配置されている場合を０度とし、前記映像表示部の前面と音声出力手段の前面とが垂直に配置されている場合を９０度としたとき、前記映像表示部の裏面に向かって０度から９０度の範囲に設定した請求項５に記載の情報端末装置。
【請求項７】
音声出力手段の外形の長辺または長径と短辺または短径との比は２．５以上である請求項５または請求項６のいずれかに記載の情報端末装置。
【請求項８】
ステレオ再生可能な携帯電話である請求項５から請求項７のいずれかに記載の情報端末装置。
【請求項９】
音声出力手段は映像表示部の両側にそれぞれ複数個配置した請求項１から請求項８のいずれかに記載の情報端末装置。
【発明の詳細な説明】
【技術分野】
【０００１】
本発明は、各種情報通信等に使用される携帯電話、ＰＤＡ、ゲーム機器等の情報端末装置に関するものである。
【背景技術】
【０００２】
以下、従来の情報端末装置について、図６により説明する。図６は、従来の情報端末装置（ここでは折畳式携帯電話）を示す正面図であり、情報端末装置を折り畳んだ状態から開いた状態を示す。
【０００３】
図６において、従来の情報端末装置１は、上ケース２と下ケース３とを連結部４を介して連結した本体ケース５からなる。上ケース２は、その前面に設けた略長方形状の映像表示部６と、この映像表示部６と同一面に設けた音声出力手段７ａ，７ｂとを備える。音声出力手段７ａ，７ｂは、映像表示部６の対向する２つの角部に近接して配置したスピーカとし、このスピーカの一方からステレオ音声の一方のチャンネルを再生させ、他方からステレオ音声の他方のチャンネルを再生させる。
【０００４】
なお、本発明に関連する先行技術文献としては、例えば、特許文献１が知られている。
【特許文献１】特開２００３−７８６０１号公報
【発明の開示】
【発明が解決しようとする課題】
【０００５】
しかしながら、上記従来の構成では、情報端末装置はステレオ音声再生の際に立体音響によるリアル感、臨場感を出すことが難しいという課題があった。
【０００６】
すなわち、映像表示部の映像定位と音声出力手段の上下方向の音像定位が一致しないからである。音声出力手段は、映像表示部の対向する角部に近接し、映像表示部に対して対角状に対称に配置されている。このとき、音声出力手段の音像定位は、２つのスピーカを結んだ直線の中心にあり、音声出力手段同士を結ぶ直線は本体ケースの対角線と略平行である。また、映像表示部の映像定位も長方形状の画面の中心にあり、映像定位と音像定位とは一致する。ただし、これは左右両スピーカからの出力音圧レベルが等しい時のみに限定される。この限定条件下では、左右スピーカ間のちょうど中心位置に音像が定位し、映像表示部の映像定位と一致する。
【０００７】
ところが、現実にはスピーカが上述の条件で再生されることは非常に少ない。音声出力手段により音声データを再生したとき、時々刻々変化する音声信号は、絶えず左右スピーカに出力音圧レベル差を生じさせる。左右スピーカに出力音圧レベル差が生じた場合は、音像は画面の中心部に定位せず、左右どちらかその音圧レベルの大きい方に引っ張られ定位することになる。この左右のスピーカの音圧レベルの差異により音像に奥行きを持たせることができ、映像定位の移動に合わせて、音像定位を移動させることができる。
【０００８】
しかし、このように音圧レベルによって、音像定位が左右スピーカ間の直線上を移動するとき、従来の構成では、左右両スピーカを結ぶ直線が水平ではないため、高さ方向の定位が問題となる。すなわち、中心から上下どちらかにずれた分だけ、高さ方向にも音像定位が移動する。これは人間の音に対する方向感覚が、左右方向はもとより上下方向にも働くために生じるため感知される。したがって、情報端末装置の使用者に対する映像表示部の映像定位と音声出力手段の音像定位とが上下方向に一致しない。つまり、音像に対する方向感覚と映像に対する方向感覚が一致しないため、聴感上、違和感を生じる。この結果として、従来の情報端末装置はステレオ音声再生の際に立体音響による良好なリアル感、臨場感を出すことを望めない。
【０００９】
そこで、本発明は、ステレオ音声再生の際に立体音響による良好なリアル感、臨場感を出すことができる情報端末装置を提供することを目的とするものである。
【課題を解決するための手段】
【００１０】
上記目的を達成するために、本発明は、少なくとも本体ケースと、この本体ケースの前面に設けた長方形状の映像表示部と、この映像表示部と同一面に設けた音声出力手段とを備え、音声出力手段は、その外形が長方形、楕円形、トラック形のいずれかからなるスピーカであって、映像表示部の中心線を境に線対称の関係に配置し、その外形の長辺または長径は映像表示部の対向する長辺または短辺のそれぞれに近接したものである。
【発明の効果】
【００１１】
本発明のスピーカの効果は、ステレオ音声再生の際に立体音響による良好なリアル感、臨場感を出すことができる情報端末装置を提供することである。すなわち、音声出力手段を映像表示部の中心線を境に線対称に配置するため、音声出力手段の上下方向の音像定位は、映像表示部の上下方向の映像定位と一致する。この結果として、本発明は、ステレオ音声再生の際に立体音響によるリアル感、臨場感を満足することができる。
【発明を実施するための最良の形態】
【００１２】
（実施の形態１）
以下、実施の形態１を用いて、図面を参照しながら本発明の特に請求項１から請求項４に記載の発明について説明する。図１は、本発明の実施の形態１における情報端末装置（ここでは折畳式携帯電話）を示す正面図であり、情報端末装置を折り畳んだ状態から開いた状態を示す。
【００１３】
近年、携帯電話を代表とする小型端末装置の市場においては、単なる情報伝達のみの機能から、映像、音とも高品位化され、特に音については音楽の受配信等の機能が高まりつつある。この中でよりリアルに音楽を楽しめるステレオ方式への改革が求められている。本実施の形態１の情報端末装置はこの要請に応えるもので、図１に示すような構成を有する。
【００１４】
図１において、情報端末装置１は、上ケース２と下ケース３とを連結部４を介して連結した本体ケース５からなる。この本体ケース５を構成する上ケース２は、その前面に設けた略長方形状の映像表示部６と、この映像表示部６と同一面に設けた音声出力手段８ａ，８ｂとを備える。下ケース３は、各種スイッチ等により構成される操作部９を備える。
【００１５】
音声出力手段８ａ，８ｂは、その外形の長辺または長径側を映像表示部６の対向する長辺にそれぞれ近接配置し、映像表示部６の中心線６ａを境に線対称となるように配置した。つまり、音声出力手段８ａ，８ｂは映像表示部６の両側に配置した。なお、音声出力手段８ａ，８ｂとして用いるスピーカは、外形がトラック形のものを用いているが、これに限られず、長方形、楕円形、トラック形のいずれかからなるスピーカであればよい。
【００１６】
また、音声出力手段８ａ，８ｂは、その外形の長径（長方形状の場合は長辺）と短径（長方形状の場合は短辺）との比は２．５以上とし、アスペクト比の大きなスリムスピーカを用いた。これにより、情報端末装置１の小型化を図ることができる。すなわち、スリムスピーカを用いることにより情報端末装置１は、大きな画面を持ち映像表示部６を限られたスペース内に備えることができる。この結果として、情報端末装置１の小型化を図ることができる。
【００１７】
以上のような構成において、ステレオ音声再生の際に、音声出力手段８ａ，８ｂから出力される音像は、映像表示部６により表示する映像と対応して、立体音響によるリアル感、臨場感を出すことができる。すなわち、人間の音に対する方向感覚は、視覚の方向感覚と同様に、左右方向はもとより上下方向にも働く。このため、映像に対応して音像をリアルにステレオ再生するためには、情報端末装置１の使用者に対して、映像表示部６の映像定位と音声出力手段８ａ，８ｂの音像定位とを一致させる必要がある。
【００１８】
音声出力手段８ａ，８ｂは、映像表示部６の縦方向の中心線６ａ（図１参照）を境に線対称に配置されている。このため、音声出力手段８ａ，８ｂ同士を結ぶ直線は水平になる。したがって、音声出力手段８ａ，８ｂの音像定位は、２つのスピーカを結んだ直線の中心になる。また、映像表示部６の映像定位も長方形状の画面の中心にあり、この結果として、映像定位と音像定位とが一致する。
【００１９】
このように情報端末装置１の音像定位と映像定位とが一致すると、例えば、映像表示部６で再生される映像が動画であるとき、この動画の左右の動きに対応して、音声出力手段の音像を左右に移動させることができ、違和感のないステレオ音場再生が実現できる。
【００２０】
以上の如く、本実施の形態１の情報端末装置１は、ステレオ音声再生の際に、音声出力手段８ａ，８ｂから出力される音像定位を、映像表示部６により表示する映像定位と対応させて、立体音響によるリアル感、臨場感を出すことができる。
【００２１】
次に、図２を用いて、本実施の形態１の情報端末装置における、映像表示部に対する音声出力手段の配置角度について説明する。図２は、本発明の実施の形態１の情報端末装置の要部断面図（図１のＡ−Ａ’面の断面図）である。
【００２２】
図２において、情報端末装置１は、上ケース２の前面（図２では下方）に映像表示部６を有し、その内部に映像表示部６を制御する電子回路１０を有する。また、映像表示部６の両側には音声出力手段８ａ，８ｂが配置されている。
【００２３】
このとき、映像表示部６の前面と音声出力手段８ａ，８ｂの前面とが同一面に配置されている場合を０度とし、映像表示部６の前面と音声出力手段８ａ，８ｂの前面とが垂直に配置されている場合を９０度とした場合、映像表示部６の裏面１１に向かって０度から９０度の範囲に設定し、互いに上ケース２の外側に向けた。
【００２４】
これにより、ステレオ音声再生の際に、音声出力手段８ａ，８ｂから出力される音像は、映像表示部６により表示する映像と対応して、立体音響によるリアル感、臨場感を拡大することができる。すなわち、小型化された情報端末装置１から再生された音であっても、ステレオとしての音の拡散が可能となり、サービスエリアの広い音場形成を実現することができ、臨場感を拡大することができる。この結果として、音声出力手段８ａ，８ｂから出力される音像は、映像表示部６により表示する映像と対応して、ステレオ音声再生の際に立体音響によるリアル感、臨場感を十分に満足する情報端末装置を提供することができる。
【００２５】
また、以上のように音声出力手段８ａ，８ｂとして用いるスピーカを上記角度により配置することで、限られた上ケース２のスペース内に、可能な限り大きな寸法の映像表示手段６を配置することができる。
【００２６】
なお、図３を用いて、情報端末装置を横方向にして使用する方法を以下に説明する。図３は、本実施の形態１の他の使用状態を示す正面図である。
【００２７】
上述したものと異なる点は、音声出力手段８ａ，８ｂの外形の長辺または長径側を映像表示部６の対向するそれぞれの短辺に近接配置した点である。音声表示手段８ａ，８ｂは、映像表示部６の中心線６ｂを境に線対称、つまり映像表示部６の両側に配置した。なお、音声出力手段８ａ，８ｂとして用いるスピーカは、外形がトラック形のものに限られず、長方形、楕円形、トラック形のいずれかからなるスピーカであればよい。
【００２８】
図３に示すように、情報端末装置１を横方向にして使用すると、上ケース２に設けた映像表示部６は、横長の略長方形状となる。この場合、映像表示部６は縦と横の比であるアスペクト比が３：４から９：１６というような液晶パネル等を用いることができる。これにより、携帯電話に代表される情報端末装置の液晶パネル等にもかかわらず、テレビジョン受像機の液晶パネル等と同等のアスペクト比を実現することができる。この結果として、ステレオ音声と併せて従来にないリアル感、臨場感溢れる情報端末装置を提供することができる。
【００２９】
なお、本実施の形態１では、情報端末装置の例として携帯電話について示した。しかし、これに限定されるものではなく、ＰＤＡや小型のゲーム機器やナビゲーション機器、さらには小型携帯テレビやビデオカメラ装置のモニター等、幅広く応用、展開することができる。
【００３０】
（実施の形態２）
以下、実施の形態２を用いて、本発明の特に請求項５から請求項８に記載の発明について説明する。
【００３１】
図４（ａ）は、本発明の実施の形態２における情報端末装置（ここでは折畳式携帯電話）を示す正面図であり、図４（ｂ）は情報端末装置の上ケースを回転させた状態を示す。なお、実施の形態１と同様の構造をとるものは符号を同一にし、説明を簡略化する。
【００３２】
図４において、情報端末装置１は、映像表示部６と音声出力手段８ａ，８ｂとを有する上ケース２と、この上ケース２と連結部４を介して折り畳み可能に結合した下ケース３とを備える。
【００３３】
ここで、実施の形態１と異なる点は、情報端末装置１の携帯時と使用時との形状を使い分けできるように構成した点である。すなわち、上ケース２が、映像表示部６を縦長から横長にして使用できるように、下ケース３に対して回転可能にする回転手段を有する。なお、回転手段としては、回転ヒンジ１２を用いた。
【００３４】
また、音声出力手段８ａは映像表示部６の上部に、音声出力手段８ｂは映像表示部６の下部に設けた。さらに、音声出力手段８ａ，８ｂの外形の長辺または長径は、映像表示部６の対向する短辺に近接配置し、映像表示部６の中心線６ｂを境に線対称とした。
【００３５】
このようにすることで、情報端末装置１の携帯時と使用時との形状を使い分けることができる。つまり、情報端末装置１の持ち歩き等の携帯時には図４（ａ）に示す折り畳んだ状態にすることができる。そして、この情報端末装置１の映像表示部６の使用時、すなわち、テレビ電話や、動画等の鑑賞を行う際には、回転ヒンジ１２により上ケース２を９０度回転させて映像表示部６を縦長から横長にして使用することができる。
【００３６】
以上のような構成において、ステレオ音声再生の際に、音声出力手段８ａ，８ｂから出力される音像は、映像表示部６により表示する映像と対応して、立体音響によるリアル感、臨場感を出すことができる。すなわち、回転ヒンジ１２は、上ケース２を９０度回転させて映像表示部６を縦長から横長にすることにより、使用時にアスペクト比の大きな映像表示部６とすることができる。そして、回転後の音声出力手段８ａ，８ｂは、映像表示部の縦方向の中心線６ｂ（図４（ｂ）参照）を境に線対称に配置されているため、アスペクト比の大きい映像表示部６の映像と音声出力手段８ａ，８ｂとの音像とが一致する。この結果として、本発明は、ステレオ音声再生の際に、音声出力手段８ａ，８ｂから出力される音像は、映像表示部６により表示するアスペクト比の大きな映像と対応して、立体音響によるリアル感、臨場感を出すことができる。
【００３７】
なお、本実施の形態２では、情報端末装置の例として携帯電話について示した。しかし、これに限定されるものではなく、ＰＤＡや小型のゲーム機器やナビゲーション機器、さらには小型携帯テレビやビデオカメラ装置のモニター等、幅広く応用、展開することができる。
【００３８】
（実施の形態３）
以下、実施の形態３を用いて、本発明の特に請求項９に記載の発明について説明する。
【００３９】
図５は、本発明の実施の形態３における情報端末装置（ここでは折畳式携帯電話）を示す正面図である。なお、実施の形態１と同様の構造をとるものは符号を同一にし、説明を簡略化する。
【００４０】
図５において、実施の形態１と異なる点は、上ケース２に音声出力手段１３ａ，１３ｂ，１３ｃ，１３ｄが設けられている点である。音声出力手段１３ａ，１３ｂ，１３ｃ，１３ｄの外形の長辺（長径）は、映像表示部６の対向する長辺のそれぞれに近接配置するように設けられている。すなわち、音声出力手段として上ケース２の中心線６ａを境に映像表示部６の両側に２つずつ、計４つのスピーカを設けた。このとき、音声出力手段の形状はトラック形状に限られず、その外形が長方形、楕円形、トラック形のいずれかからなるスピーカであればよい。
【００４１】
これにより、ステレオ音声再生の際に、音声出力手段１３ａ，１３ｂ，１３ｃから出力される音像は、映像表示部６により表示する映像と対応して、立体音響によるリアル感、臨場感を出すことができる。すなわち、小型のスリムスピーカを用いても、映像表示部６の映像定位と音声出力手段１３ａ，１３ｂ，１３ｃ，１３ｄの音像定位とを一致させることができる。したがって、実施の形態１で示した音声出力手段８ａ，８ｂ（図１参照）のような形状のスリムスピーカ（映像表示部６の長辺と同程度の長径（長辺）を持つスリムスピーカ）を用いることなく、本発明の目的である音像定位と映像定位との一致を図ることもできる。
【００４２】
このように情報端末装置１の音像定位と映像定位とが一致すると、例えば、映像表示部６で再生される映像が動画であるとき、この動画の上下左右の動きに対応して、音声出力手段の音像を上下左右に移動させることができ、違和感のないステレオ音場再生が実現できる。
【００４３】
なお、音声出力手段としてのスピーカの数は必ず４つである必要はなく、上ケース２の中心線６ａを境に線対称となるように配置すれば上記目的を達成する。
【００４４】
また、図５では音声出力手段１３ａ，１３ｂ，１３ｃ，１３ｄの外形の長辺（長径）が、映像表示部６の対向する長辺のそれぞれに近接配置するように設けたものを示したが、本実施の形態３の情報端末装置１はこれに限られたものではない。
【００４５】
すなわち、図示していないが、音声出力手段１３ａ，１３ｂ，１３ｃ，１３ｄの外形の長辺（長径）は、映像表示部６の対向する短辺のそれぞれに近接配置するものであってもよい。これにより、情報端末装置１を横向きにして使用した際、上ケース２に設けた映像表示部６は、横長の略長方形状となり（図３参照）、小型のスリムスピーカを用いても、情報端末装置１の映像定位と音像定位とを一致させることができる。この場合、映像表示部６に縦と横の比であるアスペクト比が３：４から９：１６というような液晶パネル等を用いることができ、携帯電話に代表される情報端末装置の映像表示部にもかかわらず、テレビジョン受像機の映像表示部と同等のアスペクト比を実現することができる。この結果として、ステレオ音声と合わせて従来にないリアル感、臨場感溢れる情報端末装置を提供することができる。
【００４６】
また、上ケース２が、映像表示部６を縦長から横長にして使用できるように、下ケース３に対して回転可能にする回転手段（ヒンジ等）を有するものであってもよい。回転手段により横長にした場合、音声出力手段１３ａ，１３ｂ，１３ｃ，１３ｄの外形の長辺（長径）は、映像表示部６の対向する短辺のそれぞれに近接するように配置する。
【００４７】
これにより、小型のスリムスピーカを用いた場合であっても、情報端末装置１の携帯時と使用時との形状を使い分けることができる。つまり、情報端末装置１の持ち歩き等の携帯時には折り畳んだ状態にすることができる。そして、この情報端末装置１の映像表示部６の使用時、すなわち、テレビ電話や、動画等の鑑賞を行う際には、回転ヒンジ１２により上ケース２を９０度回転させて映像表示部６を縦長から横長にして使用することができる。
【産業上の利用可能性】
【００４８】
本発明は、ステレオ音声再生の際に、音声出力手段から出力される音像は、映像表示部により表示する映像と対応して、立体音響によるリアル感、臨場感を出すことができるという効果を有し、携帯電話、ＰＤＡ、小型のゲーム機器、ナビゲーション機器、さらには小型携帯テレビやビデオカメラ装置のモニター等の各種情報端末装置に有用である。
【図面の簡単な説明】
【００４９】
【図１】本発明の実施の形態１における情報端末装置を示す正面図
【図２】本発明の実施の形態１の情報端末装置の要部断面図
【図３】本発明の実施の形態１の他の使用状態を示す正面図
【図４】本発明の実施の形態２における情報端末装置を示す正面図
【図５】本発明の実施の形態３における情報端末装置を示す正面図
【図６】従来の情報端末装置を示す正面図
【符号の説明】
【００５０】
１  情報端末装置
２  上ケース
３  下ケース
４  連結部
５  本体ケース
６  映像表示部
６ａ，６ｂ  中心線
７ａ，７ｂ  音声出力手段
８ａ，８ｂ  音声出力手段
９  操作部
１０  電子回路
１１  裏面
１２  回転ヒンジ
１３ａ，１３ｂ，１３ｃ，１３ｄ  音声出力手段
【図１】
2005244272.tif 000003
【図２】
2005244272.tif 000004
【図３】
2005244272.tif 000005
【図４】
2005244272.tif 000006
【図５】
2005244272.tif 000007
【図６】
2005244272.tif 000008